【手続補正書】
【提出日】平成18年12月27日(2006.12.27)
【手続補正１】
【補正対象書類名】明細書
【補正対象項目名】０００４
【補正方法】変更
【補正の内容】
【０００４】
図１６は最大通紙幅がＡ３サイズであるフィルム加熱定着方式による従来の加熱装置を示す概略構成図である。１０１はステーであり、このステー１０１は加熱体１０３を露呈させて支持した横断面Ｕ字状の本体部１０５と該本体部を対向する加圧ローラ１０４側へ加圧する加圧部１０６とで構成されている。１０２はステー１０１に外嵌させてある横断面円形の耐熱性フィルム（以下、フィルムと略称する）である。
【手続補正２】
【補正対象書類名】明細書
【補正対象項目名】０００５
【補正方法】変更
【補正の内容】
【０００５】
図１５は上記加熱体１０３の途中を省略し、一部切り欠いた平面図である。この加熱体１０３はフィルム１０２もしくは被加熱体としての紙等の記録材Ｐの搬送方向ａに対して直角方向を長手とする細長の耐熱性・絶縁性・良熱伝導性の基板１３１、この基板１３１の表面側の短手方向中央部に基板長手に沿って形成具備させた抵抗発熱体１３２、この抵抗発熱体を形成した加熱体表面を保護させた耐熱性オーバーコート層１３４、抵抗発熱体１３２の長手両端部の給電用電極１３３・１３３とともに、基板裏面側に具備させた加熱体温度を検知するサーミスタ等の検温素子１０７等からなる全体に低熱容量の線状加熱体を基板構成体とする。この加熱体１０３は抵抗発熱体１３２を図１６において、剛性・耐熱性を有するステー本体部１０５の下面側に下向きに露呈させて固定配設してある。
【手続補正３】
【補正対象書類名】明細書
【補正対象項目名】０００６
【補正方法】変更
【補正の内容】
【０００６】
上記加熱体１０３の基板１３１は、例えば、アルミナや窒化アルミニウム等の厚み１ｍｍ・幅１０ｍｍ・長さ３３０ｍｍのものである。また、抵抗発熱体１３２は例えば、Ａｇ／Ｐｄ（銀パラジウム）、ＲｕＯ２、Ｔａ２Ｎ等の電気抵抗材料をスクリーン印刷等により、厚み約１０μｍ、幅１〜３ｍｍの線状もしくは細帯状に塗工して形成したものである。
【手続補正４】
【補正対象書類名】明細書
【補正対象項目名】０００９
【補正方法】変更
【補正の内容】
【０００９】
この種の所謂テンションレスタイプの加熱装置は、例えば特開平４−４４０７５号公報〜特開平４−４４０８３号公報、特開平４−２０４９８０号公報〜特開平４−２０４９８４号公報等に開示されている。
【手続補正５】
【補正対象書類名】明細書
【補正対象項目名】００１２
【補正方法】変更
【補正の内容】
【００１２】
即ち、検温素子１０７の検知温度が所定の設定温度より低いと加熱体１０３が昇温するように、また、高い場合は加熱体１０３が降温するように通電を制御することで加熱体１０３は定着時、一定の温度に調整される。而して、加熱体１０３の温度が所定に立ち上がり、かつ加圧ローラ１０４の回転によるフィルム１０２の回転周速度が定常化した状態において、画像定着すべき記録材Ｐが加熱体１０３と加圧ローラ１０４とで形成される圧接ニップ部Ｎを挟持搬送されることにより、加熱体１０３の熱がフィルム１０２を介して記録材Ｐに付与され、記録材Ｐ上の未定着顕画像（トナー画像）ｔが記録材Ｐ面に加熱定着される。そして、圧接ニップ部Ｎを通った記録材Ｐはフィルム１０２の面から分離されて搬送される。
【手続補正６】
【補正対象書類名】明細書
【補正対象項目名】００１３
【補正方法】変更
【補正の内容】
【００１３】
上記フィルム１０２はステー１０１に対し周長が余裕を持ってルーズに外嵌しているため図１７に示すようにフィルム１０２とステー１０１の間に隙間を持っており、記録材Ｐがニップ部Ｎに侵入する前、フィルム１０２はステー１０１に対し図１７（ａ）に示す端部、図１７（ｂ）に示す中央部ともに同じ隙間Ｓ０を持って回転している。
【手続補正７】
【補正対象書類名】明細書
【補正対象項目名】００１５
【補正方法】変更
【補正の内容】
【００１５】
すると、加圧ローラ１０４の周速も非通紙部の方が速くなる。つまり、ニップ部Ｎでのフィルム１０２の搬送速度が通紙部より非通紙部の方が大きくなり、速度差が生じ、フィルム１０２は通紙部と非通紙部でねじれ力が働き、ニップ部Ｎの直前でフィルム１０２とステー１０１の間の隙間量が端部では図１８（ａ）に示すように隙間Ｓ１と小さく、中央部では図１８（ｂ）に示すように隙間Ｓ２と大きくなり、Ｓ２＞Ｓ０＞Ｓ１という関係になるため、図１１に示すようにニップ部Ｎの直前でフィルム１０２が１０２’のようにたるんだ状態になる。
【手続補正８】
【補正対象書類名】明細書
【補正対象項目名】００３１
【補正方法】変更
【補正の内容】
【００３１】
図において、１はフィルム支持手段としてのステーであり、このステー１は加熱体３を露呈させて支持した横断面Ｕ字状のフィルムガイド５と、このフィルムガイド５に組み付け、該ガイド５を対向する加圧体としての加圧ローラ４側に加圧する横断面コの字状の加圧部６とから構成されている。２（図２）はステー１に外嵌させてある横断面円形の耐熱フィルム（薄膜フィルム）であり、このフィルム２は内周長が加熱体３を含むステーの外周長に対し例えば３ｍｍ程度大きくしてある。したがってステー１に対し周長に余裕をもってルーズに外嵌されている。このステー１はフィルム２を介して加圧ローラ４で長手方向全体に加圧され、ニップ部Ｎを形成している。
【手続補正９】
【補正対象書類名】明細書
【補正対象項目名】００４３
【補正方法】変更
【補正の内容】
【００４３】
図３に示した加熱装置においても前述の図２に記載の本実施形態の加熱装置と同様に小サイズの紙シワを防止できるが、最大通紙幅であるＡ３サイズのように通紙幅が広い記録材を通紙すると、図５に示すように前述の大きいサイズのシワ対策である長手方向端部方向への引き延ばし効果により、加熱装置ニップ上流部において記録材端部がフィルム方向に盛り上がる。よって、加熱装置上流部において記録材上の未定着画像とフィルムが接触し、画像の乱れが発生することがある。
【手続補正１０】
【補正対象書類名】明細書
【補正対象項目名】００５８
【補正方法】変更
【補正の内容】
【００５８】
（第６の実施形態）
図１３は第６の実施形態における加熱装置を示す概要図であり、（ａ）はニップ下流から見た斜視図、（ｂ）と（ｃ）はその一部の側面図である。
【手続補正１１】
【補正対象書類名】明細書
【補正対象項目名】符号の説明
【補正方法】変更
【補正の内容】
【符号の説明】
１  ステー（フィルム支持手段）
２  フィルム
３  加熱体
４  加圧ローラ（加圧体）
５  フィルムガイド
５ａ，５ｂ，５ｃ，５ｄ  突状部
６  加圧部
８  突状部
９  端部体
Ｎ  ニップ部
Ｐ  記録材
【手続補正１２】
【補正対象書類名】図面
【補正対象項目名】図３
【補正方法】変更
【補正の内容】
【図３】
2001183930.tif 000001
【手続補正１３】
【補正対象書類名】図面
【補正対象項目名】図９
【補正方法】変更
【補正の内容】
【図９】
2001183930.tif 000002
【手続補正１４】
【補正対象書類名】図面
【補正対象項目名】図１４
【補正方法】変更
【補正の内容】
【図１４】
2001183930.tif 000003
【手続補正１５】
【補正対象書類名】図面
【補正対象項目名】図１６
【補正方法】変更
【補正の内容】
【図１６】
2001183930.tif 000004
【手続補正１６】
【補正対象書類名】図面
【補正対象項目名】図１７
【補正方法】変更
【補正の内容】
【図１７】
2001183930.tif 000005